(57)【要約】【課題】  画像表示装置に複数の項目が表示された場合でも所望の項目を容易に選択できる入力装置を得る。【解決手段】  本入力装置では、画像表示装置に表示されている画面の種類（特に、画面上の複数の項目の相対位置関係並びに数）を判別し、当該判別した画面の種類に応じて、所定の処理プログラム上でタッチパネルの分解能を変更する。例えば、画像表示装置に複数の項目がマトリックス状に配列された５０音画面が表示された場合には、変更手段がタッチパネル１６の分解能を５０音画面上に配列された複数の項目の相対位置関係並びに数に基づいて導出した値に変更する。これにより、タッチパネル１６には、複数の項目の相対位置関係並びに数に対応して、マトリックス状に配列された複数の検出領域が分類される。【選択図】  図１
2007058426.tif 000002
【特許請求の範囲】
【請求項１】
案内情報を読み出すための複数の項目を位置並びに数を適宜変更して表示すると共に、前記項目が特定されたときに当該項目に該当する案内情報を表示する画像表示装置に付属して設けられ、前記項目を特定するためのタッチパネルを備えた入力装置であって、
前記画像表示装置に表示される前記複数の項目の相対位置関係並びに数に対応して前記タッチパネルの分解能を変更する変更手段を備えた、
ことを特徴とする入力装置。
【請求項２】
前記複数の項目は、マトリックス状に配列される、ことを特徴とする請求項１記載の入力装置。
【請求項３】
前記変更手段は、前記分解能の変更により前記各項目に対応して分類される前記タッチパネルの各検出領域の一部のみをアクティブとする、ことを特徴とする請求項１記載又は請求項２記載の入力装置。
【発明の詳細な説明】
【技術分野】
【０００１】
本発明は、入力装置に係り、特に、自動車に搭載されるナビゲーションシステム等のコントローラとして用いられる入力装置に関する。
【背景技術】
【０００２】
例えば、自動車に搭載されるナビゲーションシステム等のように、タッチパネル付きの画像表示装置（ディスプレイ装置）を備えたものが知られている。
【０００３】
また、タッチパネルが組み込まれた入力装置を、画像表示装置とは分離して構成し、この入力装置を操作し易い場所に配置するものもある（例えば、特許文献１参照）。前記特許文献に示された入力装置では、タッチパネルを操作することによって、画像表示装置の画面上に表示された選択項目（表示スイッチ）を選択できる構成とされている。
【０００４】
このような入力装置は、タッチパネル一体型の画像表示装置のような直感的な操作が可能であり、ノート型のパーソナルコンピュータに適用される所謂「トラックパッド」と同様の操作方法であるため、アフォーダンス性も高い遠隔操作デバイスである。
【０００５】
しかしながら、上述の如き入力装置では、タッチパネルの面積が画像表示装置の表示画面の面積に比べて小さいため、例えば、画像表示装置に多数の選択項目が配置された５０音画面が表示された場合には、所望の項目を選択するための微妙な調整が難しいという問題がある。
【特許文献１】特開２００１−３２５０７２号公報
【発明の開示】
【発明が解決しようとする課題】
【０００６】
本発明は上記事実を考慮し、画像表示装置に複数の項目が表示された場合でも所望の項目を容易に選択できる入力装置を得ることを目的としている。
【課題を解決するための手段】
【０００７】
上記課題を解決するために、請求項１に係る発明の入力装置は、案内情報を読み出すための複数の項目を位置並びに数を適宜変更して表示すると共に、前記項目が特定されたときに当該項目に該当する案内情報を表示する画像表示装置に付属して設けられ、前記項目を特定するためのタッチパネルを備えた入力装置であって、前記画像表示装置に表示される前記複数の項目の相対位置関係並びに数に対応して前記タッチパネルの分解能を変更する変更手段を備えた、ことを特徴としている。
【０００８】
請求項１記載の入力装置では、画像表示装置に案内情報を読み出すための複数の項目が表示された際には、変更手段が前記複数の項目の相対位置関係並びに数に対応してタッチパネルの分解能を変更する。これにより、タッチパネルには前記複数の項目の相対位置関係並びに数に対応する複数の検出領域が分類されるので、タッチパネル上のタッチ操作位置は、画像表示装置に表示される複数の項目のうちの何れか１つにピンポイントに対応する。これにより、タッチパネルのタッチ操作により所望の項目を容易に特定することが可能となる。項目が特定されると画像表示装置が当該項目に該当する案内情報を表示する。
【０００９】
このように、請求項１記載の入力装置では、画像表示装置に複数の項目が表示された場合でも所望の項目を容易に選択できる。
【００１０】
請求項２に係る発明の入力装置は、請求項１記載の入力装置において、前記複数の項目は、マトリックス状に配列される、ことを特徴としている。
【００１１】
請求項２記載の入力装置では、画像表示装置にはマトリックス状に配列された複数の項目が表示され、変更手段は当該マトリックス状に配列された複数の項目の相対位置関係並びに数に対応してタッチパネルの分解能を変更する。これにより、タッチパネルには複数の項目の相対位置関係並びに数に対応してマトリックス状に配列された複数の検出領域が分類される。したがって、例えば、５０音の項目がマトリックス状に配列された５０音画面が画像表示装置に表示される場合などに有効であり、操作性に優れる。
【００１２】
請求項３に係る発明の入力装置は、請求項１記載又は請求項２記載の入力装置において、前記変更手段は、前記分解能の変更により前記各項目に対応して分類される前記タッチパネルの各検出領域の一部のみをアクティブとする、ことを特徴としている。
【００１３】
請求項３記載の入力装置では、変更手段は、分解能の変更により画像表示装置の各項目に対応して分類されるタッチパネルの各検出領域の一部（例えば、中心部）のみをアクティブとする。したがって、タッチパネルの隣り合う検出領域において、それぞれアクティブにされた部分の間にタッチ操作を検出しない部分を設けることができるため、指ブレによる誤入力を防止できる。
【発明の効果】
【００１４】
以上説明した如く、本発明の入力装置では、画像表示装置に複数の項目が表示された場合でも所望の項目を容易に選択できる。
【発明を実施するための最良の形態】
【００１５】
図１０には、本発明の実施の形態に係る入力装置としてのタッチトレーサ１４が適用されて構成された車両用のディスプレイシステム１０の全体構成が示されている。
【００１６】
ディスプレイシステム１０は、エアコン、オーディオ、ナビゲーションシステム等の自動車に付帯する付帯装備の操作を行うものであり、画像表示装置としてのディスプレイ装置１２及びタッチトレーサ１４とによって主に構成されている。
【００１７】
ディスプレイ装置１２は、運転者及び同乗者が容易に視認することができるインスツルメントパネルの中央部に配置され、様々な案内情報（エアコン、オーディオの操作状況やナビゲーションシステムのメニュー画面、地図画面、及び５０音画面等）を表示するものであり、タッチトレーサ１４からの操作入力情報に応じて所定の案内情報（画面）を表示するようになっている。
【００１８】
タッチトレーサ１４は、運転者が容易に操作することができる場所、例えば、運転席ドアの肘掛部やセンターコンソール等に配置することができ、タッチ操作入力によって上述のエアコン、オーディオ、ナビゲーションシステム等の付帯装備の操作を行うものである。なお、タッチトレーサ１４は、手に持って操作することも可能である。
【００１９】
タッチトレーサ１４は、図９のタッチトレーサ正面図に示すように、中央部にタッチパネル１６が配置され、タッチパネル１６の周囲となる位置には、各種モード等を選択する選択ボタン１８が配置されている。これらの選択ボタン１８としては、現在地ボタン１８Ａ、戻るボタン１８Ｂ、詳細ボタン１８Ｃ、及び広域ボタン１８Ｄ、ＮＶ／ＴＶ（ナビゲーション、テレビ切換）ボタン１８Ｅ、及び電源ボタン１８Ｆが設けられている。
【００２０】
タッチパネル１６は、ディスプレイ装置１２の画像表示部と相似形に形成されており、その面積はディスプレイ装置１２の画像表示部の面積よりも十分に小さく形成されている。また、タッチパネル１６には、本実施の形態では、静電容量式の位置検出センサが組み込まれている。この位置検出センサは、所謂「ＩＴＯ（ＩｎｄｉｕｍＴｉｎ  Ｏｘｉｄｅ）」等の透明導電膜を設けた透明なフィルムを二枚重ね、タッチパネル１６を指でタッチした位置の電気抵抗の変化から位置を読み取ったり、指でタッチしたとき、重ねた透明導電フィルムの間隔が変化するので、それを静電容量の変化として位置を読み取ったり、あるいは、指で触れたとき、人体の静電容量が結合されるので、それを検知して位置を読み取ったりするものである。このタッチパネル１６（位置検出センサ）は、所定の分解能（例えば、２００ｄｐｉ）を有している。
【００２１】
さらに、タッチパネル１６の裏面側には、操作決定スイッチ２２が配置されており、タッチパネル１６上の所望の位置をタッチ操作した後にタッチパネル１６毎押圧操作することにより、操作決定スイッチ２２がオンされる構成となっている。
【００２２】
一方、図８は、ディスプレイシステム１０の電気的構成を示すブロック図である。ディスプレイシステム１０は、タッチトレーサ１４に設けられたタッチパネル１６及び操作決定スイッチ２２がタッチトレーサコントローラ４４（変更手段）に接続されており、更にタッチトレーサコントローラ４４には、エアコン、オーディオ、ナビゲーションシステム等の付帯装備を制御する制御部４６及びディスプレイ装置１２が接続されている。なお、図示は省略するが、タッチトレーサコントローラ４４には、前述した複数の選択ボタン１８に対応する図示しないスイッチも接続されている。
【００２３】
タッチトレーサコントローラ４４は、ＣＰＵ４８、ＲＯＭ５０及びＲＡＭ５２等の周辺装置を含むマイクロコンピュータで構成されており、タッチパネル１６から入力される信号に基づいて、タッチパネル１６上のタッチ操作の位置座標を算出する。
【００２４】
また、タッチトレーサコントローラ４４は、上述の算出された指でタッチした位置座標をディスプレイ装置１２の表示に対応した位置座標に変換してディスプレイ装置１２へ出力する。ディスプレイ装置１２は、タッチトレーサコントローラ４４から出力された位置座標を基に指でタッチしている画面上の位置を画面に表示する。この画面上の位置表示は、画面上に表示された複数の項目（表示スイッチ）のうちの何れかが色反転することによって表示されるようになっている。
【００２５】
さらに、タッチパネル１６で項目が選択された状態で操作決定スイッチ２２が押圧操作されるとタッチトレーサコントローラ４４に操作決定スイッチ２２の信号が出力され、タッチトレーサコントローラ４４は、ディスプレイ装置１２の選択された項目を表示するための信号を制御部４６へ出力する（選択された項目が特定される）。
【００２６】
制御部４６では、特定された項目に従った画面（案内情報）に切り換えるための情報をディスプレイ装置１２に出力することによってディスプレイ装置１２に表示された画面が選択された項目の画面（案内情報）へと切り換わる。
【００２７】
ここで、本実施の形態に係るタッチトレーサ１４では、タッチトレーサコントローラ４４は、ディスプレイ装置１２に表示された画面上の複数の項目（表示スイッチ）の相対位置関係並びに数に対応して、ＲＯＭ５０に記憶された所定の処理プログラム上でタッチパネル１６の分解能を変更する構成となっている。
【００２８】
具体的には、例えば、ディスプレイ装置１２に図７に示されるようなメニュー画面６０が表示された場合には、タッチトレーサコントローラ４４は、所定の処理プログラム上でタッチパネル１６の分解能をメニュー画面６０上に表示された複数の項目の相対位置関係並びに数に基づいて導出した値（例えば、５〜２０ｄｐｉ）に変更する。
【００２９】
すなわち、本実施の形態では、メニュー画面６０上には、タッチパネル１６のタッチ操作により選択入力可能な６個の項目６０Ａが３行２列のマトリックス状に配列されているため、タッチトレーサコントローラ４４は、処理プログラム上でタッチパネル１６の分解能を３×２ｄｐｉに変更する。このため、タッチパネル１６には、メニュー画面６０上の６個の項目の相対位置関係並びに数に対応する６個の検出領域が分類される（図６参照）。なお、図６では、説明の都合上、処理プログラム上で変更されたタッチパネル１６の分解能に対応して、タッチパネル１６上を実線で３行２列のマトリックス状に区分して示してある。
【００３０】
これにより、タッチパネル１６上のタッチ操作位置と、メニュー画面６０上の６個の項目６０Ａとが１対１で対応するようになっている。すなわち、例えば、図６において「ＭＥＩ」の符号が付与されたタッチパネル１６上の検出領域がタッチ操作されると、タッチトレーサコントローラ４４は、図７に示すメニュー画面６０上の「地名検索」の項目６０Ａを色反転させるための信号をディスプレイ装置１２へ出力する。また、例えば、図６において「ＲＯＵ」の符号が付与されたタッチパネル１６上の検出領域がタッチ操作されると、タッチトレーサコントローラ４４は、図７に示すメニュー画面６０上の「ルート情報」の項目６０Ａを色反転させるための信号をディスプレイ装置１２へ出力する。なお、図６において「ＺＥＮ」、「ＭＥＭＯ」、「ＳＯＵ」、「ＴＥＮ」の符号が付与されたタッチパネル１６上の検出領域は、それぞれメニュー画面６０上の「全国図」、「メモリ地点」、「走行軌跡」、「地点登録」の項目６０Ａに対応している。
【００３１】
一方、例えば、ディスプレイ装置１２に、図５に示されるような５０音画面７０が表示された場合には、タッチトレーサコントローラ４４は、所定の処理プログラム上でタッチパネル１６の分解能を５０音画面７０上に配置された複数の項目の相対位置関係並びに数に基づいて導出した値（例えば、３０〜１００ｄｐｉ）に変更する。
【００３２】
すなわち、本実施の形態では、５０音画面７０上には、タッチパネル１６上のタッチ操作により選択入力可能な５０音の項目７０Ａ、修正の項目７０Ｂ、７０Ｃ及び検索の項目７０Ｄが表示されており、５０音の項目７０Ａが５行１１列のマトリックス状に配置され、その下方に修正の項目７０Ｂ、７０Ｃ及び検索の項目７０Ｄが横方向に３個並んだ状態で配置されている（複数のスイッチが、おおまかに６行１１列のマトリックス状に配列されている）。このため、タッチトレーサコントローラ４４は、処理プログラム上でタッチパネル１６の分解能を６×１１ｄｐｉに変更する。このため、タッチパネル１６上には、５０音画面７０上の複数の項目の相対位置関係並びに数に対応する複数（本実施の形態では、６６個）の検出領域が分類される（図４参照）。なお、図４では、説明の都合上、処理プログラム上で変更されたタッチパネル１６の分解能に対応して、タッチパネル１６上を実線で６行１１列のマトリックス状に区分して示してある。
【００３３】
これにより、タッチパネル１６上のタッチ操作位置と、５０音画面７０上の複数の項目とがほぼ１対１で対応するようになっている。すなわち、例えば、図６において「Ａ」の符号が付与されたタッチパネル１６上の検出領域がタッチ操作されると、タッチトレーサコントローラ４４は、図４に示す５０音画面７０上の「あ」の項目７０Ａを色反転させるための信号をディスプレイ装置１２へ出力する。また、例えば、図６において「ＴＩ」で示されたタッチパネル１６上の検出領域がタッチ操作されると、タッチトレーサコントローラ４４は、図４に示す５０音画面７０上の「ち」の項目７０Ａを色反転させるための信号をディスプレイ装置１２へ出力する。さらに、例えば、図６において「ＲＥ」で示されたタッチパネル１６上の検出領域がタッチ操作されると、タッチトレーサコントローラ４４は、図４に示す５０音画面７０上の「れ」の項目７０Ａを色反転させるための信号をディスプレイ装置１２へ出力する。
【００３４】
但し、修正の項目７０Ｂ、７０Ｃは、それぞれ図４において「ＳＨＵ１」及び「ＳＨＵ２」の符号を付与した各４つずつの検出領域に対応するようになっており、検索の項目７０Ｄは、図４において、「ＫＥＮ」の符号を付与した３つの検出領域に対応するようになっている。
【００３５】
さらに、例えば、ディスプレイ装置１２に、図３に示されるような地図画面８０が表示された場合には、タッチトレーサコントローラ４４は、所定の処理プログラム上でタッチパネル１６の分解能を最大値（タッチパネル１６の分解能と同じ値、例えば２００ｄｐｉ）にする（図２参照。なお、図２では、説明の都合上、タッチパネル１６の分解能に対応して、タッチパネル１６上を点線でマトリックス状に区分して示してある）。
【００３６】
なお、本実施の形態に係るディスプレイシステム１０では、ディスプレイ装置１２に地図画面８０が表示された状態では、画面スクロールを行うことができる構成となっている。すなわち、例えば、地図画面８０上に表示された矢印等をタッチトレーサ１４によりタッチ操作することによって、スクロールを行う方向が選択され、タッチパネル１６を押圧操作することによって地図画面８０がスクロールされる構成となっている。
【００３７】
以上構成のディスプレイシステム１０では、車両のイグニッションスイッチがオンされることにより電源が投入されると共に、タッチトレーサ１４に設けられたタッチパネル１６の電源がオン状態となり検出スタンバイ状態となる構成である。
【００３８】
次に、本発明の実施の形態の作用について説明する。
【００３９】
上記構成のディスプレイシステム１０では、電源が投入されてディスプレイ装置１２に画面が表示されると、タッチトレーサコントローラ４４は、所定の処理プログラムに従って「分解能変更制御」を実施する。すなわち、図１に示す流れ図のように、タッチトレーサコントローラ４４は、ディスプレイ装置１２に表示されている画面の種類（特に、画面上の複数の項目の相対位置関係並びに数）を判別し（図１のステップ１００）、当該判別した画面の種類に応じて、所定の処理プログラム上でタッチパネル１６の分解能を変更する。
【００４０】
例えば、ディスプレイ装置１２に図７に示すメニュー画面６０が表示された場合には、タッチトレーサコントローラ４４は、所定の処理プログラム上でタッチパネル１６の分解能を、メニュー画面６０上に表示された６個の項目６０Ａの相対位置関係並びに数に基づいて導出した値（本実施の形態では、３×２ｄｐｉ）に変更する（ステップ１００からステップ１０２へ移行）。これにより、タッチパネル１６には、メニュー画面６０上に表示された６個の項目６０Ａの相対位置関係並びに数に対応する６個の検出領域が分類される（図６参照）。
【００４１】
この状態で、例えば、図６に示すタッチパネル１６上の「ＭＥＩ」の検出領域がタッチ操作されると、タッチトレーサコントローラ４４が、タッチパネル１６から入力される信号に基づいて、タッチパネル１６上のタッチ操作位置を算出し、当該算出した位置座標をディスプレイ装置１２の表示に対応した位置座標に変換してディスプレイ装置１２へ出力する。この場合、ディスプレイ装置１２では、メニュー画面６０上の「地名検索」の項目６０Ａが色反転される。
【００４２】
このように「地名検索」の項目６０Ａが色反転された状態で、タッチパネル１６毎押圧操作が行われて操作決定スイッチ２２がオンされると、タッチトレーサコントローラ４４に操作決定スイッチ２２の信号が出力されると共に、タッチトレーサコントローラ４４が「地名検索」の項目６０Ａに対応する案内情報をディスプレイ装置１２に表示するための信号を制御部４６へ出力する。制御部４６は、「地名検索」の項目６０Ａに対応する案内情報（本実施の形態では、５０音画面７０）に切り替えるための情報をディスプレイ装置１２へ出力し、これにより、ディスプレイ装置１２に図５に示す５０音画面７０が表示される。
【００４３】
ディスプレイ装置１２に５０音画面７０が表示されると、タッチトレーサコントローラ４４は、所定の処理プログラム上でタッチパネル１６の分解能を５０音画面７０上に表示された複数のスイッチの相対位置関係並びに数に基づいて導出した値（本実施の形態では、６×１１ｄｐｉ）に変更する（図１のステップ１００からステップ１０４へ移行）。これにより、タッチパネル１６には、５０音画面７０上に表示された複数の項目の相対位置関係並びに数に対応する６６個の検出領域が分類される（図４参照）。
【００４４】
この状態で、例えば、図４に示すタッチパネル１６上の「ＴＩ」の検出領域がタッチ操作されると、タッチトレーサコントローラ４４が、タッチパネル１６から入力される信号に基づいて、タッチパネル１６上のタッチ操作位置を算出し、当該算出した位置座標をディスプレイ装置１２の表示に対応した位置座標に変換してディスプレイ装置１２へ出力する。この場合、ディスプレイ装置１２では、５０音画面７０上の「ち」の項目７０Ａが色反転される。
【００４５】
このように「ち」の項目７０Ａが色反転された状態で、タッチパネル１６毎押圧操作が行われて操作決定スイッチ２２がオンされると、タッチトレーサコントローラ４４に操作決定スイッチ２２の信号が出力されると共に、タッチトレーサコントローラ４４が「ち」の項目７０Ａに対応する案内情報（ここでは、文字）をディスプレイ装置１２に表示するための信号を制御部４６へ出力する。制御部４６は、５０音画面７０の第１の表示部７０Ｅ及び第２の表示部７０Ｆに「ち」の文字を表示させるための情報をディスプレイ装置１２へ出力し、これにより、５０音画面７０の第１の表示部７０Ｅ及び第２の表示部７０Ｆに「ち」の文字が表示される（図５図示状態）。
【００４６】
一方、タッチトレーサ１４の現在地ボタン１８Ａが押圧操作されると、ディスプレイ装置１２には地図画面８０が表示される。このようにディスプレイ装置１２に地図画面８０が表示されると、タッチトレーサコントローラ４４は、所定の処理プログラム上でタッチパネル１６の分解能を最大値にする（図１のステップ１００からステップ１０６へ移行、並びに、図２参照）。
【００４７】
ここで、本発明の実施の形態に係るタッチトレーサ１４では、上述の如く、タッチトレーサコントローラ４４は、複数の項目７０Ａ、７０Ｂ、７０Ｃ、７０Ｄなどが配置された５０音画面７０がディスプレイ装置１２に表示された際には、前記複数の項目の相対位置関係並びに数に基づいて処理プログラム上でタッチパネル１６の分解能を変更する。したがって、タッチパネル１６上のタッチ操作位置は、ディスプレイ装置１２の５０音画面７０上に表示される複数の項目７０Ａ、７０Ｂ、７０Ｃ、７０Ｄのうちの何れか１つにピンポイントに対応するので、選択したい項目をピンポイントに選択することが可能になる。またこれにより、指ブレによる誤入力も少なくなる。
【００４８】
このように、本発明の実施の形態に係るタッチトレーサ１４では、ディスプレイ装置１２に複数の項目が表示された場合でも所望の項目を容易に選択できる。
【００４９】
しかも、本発明の実施の形態に係るディスプレイシステム１０では、上述の如く、タッチトレーサコントローラ４４は、タッチパネル１６のタッチ操作によりスクロール可能な地図画面８０がディスプレイ装置１２に表示された際には、処理プログラム上でタッチパネル１６の分解能を最大値にする。したがって、タッチパネル１６をタッチ操作すると、ディスプレイ装置１２の地図画面８０上に表示される位置座標の表示は滑らかに移動するので、地図画面８０を滑らかにスクロールすることができる。また、タッチパネル１６のタッチ操作により、地図画面８０上の選択したい位置を高精度に選択できる。
【００５０】
なお、上記実施の形態に係るタッチトレーサ１２では、ディスプレイ装置１２にメニュー画面６０が表示された場合には、前述の如く、タッチトレーサコントローラ４４がタッチパネル１６の分解能を変更することで、タッチパネル１６には、メニュー画面６０上に表示された６個の項目６０Ａの行と列の関係並びに数に対応する６個の検出領域が分類されるが、さらにこの状態で、タッチトレーサコントローラ４４が、図１１に示すように、タッチパネル１６の各検出領域の一部（ここでは中心部）のみをアクティブ（タッチ操作を検出可能な領域）とする構成としてもよい（図１１では、塗りつぶされた部分がアクティブな領域として示してある）。このような構成にすれば、タッチパネル１６の隣り合う検出領域において、それぞれアクティブにされた部分（図１１の塗りつぶされた部分）の間にタッチ操作を検出しない部分（図１１の白抜きの部分）が設けられるため、指ブレによる誤入力を一層好適に防止できる。この点は、ディスプレイ装置１２に５０音画面７０が表示された場合にも同様である。
【００５１】
また、上記実施の形態では、ディスプレイ装置１２にメニュー画面６０、５０音画面７０、及び地図画面８０が表示される場合について説明したが、本発明はこれに限らず、ディスプレイ装置１２に他の種類の案内情報が表示される場合にも適用できる。
【図面の簡単な説明】
【００５２】
【図１】本発明の実施の形態に係る入力装置の変更手段が行う分解能変更制御の制御手順を示す流れ図である。
【図２】本発明の実施の形態に係る入力装置のタッチパネルを示し、変更手段が処理プログラム上でタッチパネルの分解能を最大値にした状態をイメージした図である。
【図３】本発明の実施の形態に係る画像表示装置に表示される地図画面を示す図である。
【図４】本発明の実施の形態に係る入力装置のタッチパネルを示し、５０音画面の複数の項目の相対位置関係並びに数に対応して変更手段が処理プログラム上で分解能を変更した状態をイメージした図である。
【図５】本発明の実施の形態に係る画像表示装置に表示される５０音画面を示す図である。
【図６】本発明の実施の形態に係る入力装置のタッチパネルを示し、メニュー画面の複数の項目の相対位置関係並びに数に対応して変更手段が処理プログラム上で分解能を変更した状態をイメージした図である。
【図７】本発明の実施の形態に係る画像表示装置に表示されるメニュー画面を示す図である。
【図８】本発明の実施の形態に係る入力装置の電気的構成を示すブロック図である。
【図９】本発明の実施の形態に係る入力装置の構成を示す正面図である。
【図１０】本発明の実施の形態に係る入力装置が適用されて構成されたディスプレイシステムの構成を示す斜視図である。
【図１１】本発明の実施の形態に係る入力装置のタッチパネルを示し、分解能の変更により分類された各検出領域の一部のみがアクティブにされた状態をイメージした図である。
【符号の説明】
【００５３】
１０            ディスプレイシステム
１２            ディスプレイ装置（画像表示装置）
１４            タッチトレーサ（入力装置）
１６            タッチパネル
４４            タッチトレーサコントローラ（変更手段）
【図１】
2007058426.tif 000003
【図２】
2007058426.tif 000004
【図３】
2007058426.tif 000005
【図４】
2007058426.tif 000006
【図５】
2007058426.tif 000007
【図６】
2007058426.tif 000008
【図７】
2007058426.tif 000009
【図８】
2007058426.tif 000010
【図９】
2007058426.tif 000011
【図１０】
2007058426.tif 000012
【図１１】
2007058426.tif 000013